(57)【要約】      （修正有）【課題】従来の浴槽蓋は、サウナ式入浴に重点をおき、構成が複雑で閉塞感を伴い、本来の浴槽蓋としての湯沸しや、入浴時の使い勝手の悪さがあり、湯沸しから各種入浴までストレスを感じることなく多目的に使え、低コスト、省資源、省エネ、経済的で、一般家庭に受け入れ易く、普及する事を目的とした浴槽蓋を提供する。【解決手段】湯沸し蓋から各種温浴入浴蓋として多目的に使用するため一枚の蓋を蓋Ａ２と蓋Ｂ３にＵ字形に切り離し、折り畳み部４と蓋Ａ２，蓋Ｂ３の取り付け取り外しに接続部６，７を設けて可能にした。【選択図】図１
0003156934.tif 000002
【実用新案登録請求の範囲】
【請求項１】
浴槽蓋の一枚をＡとし、端部左右中央をＵ字形に切り取りその蓋片をＢとし、その切り取られた穴を跨ぎ左右に連結した折り畳み部を設け開閉を自由とし、そのＡとＢを一体化するためＡからＢの上下の脱落を防ぐ接続部（１）とＡからＢの引けを防ぐ留め部（２）を端部側面の左右または片側に設け、（１）（２）により接続し湯沸かし蓋とし、Ｂ部を取って多目的入浴蓋とし、またＡ部の左右が任意に折り畳める（３）により両手が自由に使える、簡易多目的浴槽蓋にした事を特長とする浴槽蓋。
【考案の詳細な説明】
【技術分野】
【０００１】
本考案は、一枚の浴槽蓋により多目的入浴が行える簡易多目的浴槽蓋に関するものである。
【背景技術】
【０００２】
従来のサウナ浴槽蓋はそれのみを目的として、首だけを出す形状や、首周りに異種な材料を使い複雑な仕掛け、そして蓋のみならず浴槽の見直しを前提として構成されている。
【０００３】
サウナ入浴に重点をおくあまり、サウナ入浴時の閉塞感、首周りの違和感、煩雑な手間、浴槽の見直し等、一般家庭向きといえない欠点があった。以下の一部文献などによる。
【先行技術文献】
【特許文献】
【０００４】
【特許文献１】実用新案登録第３１０９２８９号公報
【特許文献２】実用新案登録第３１３８２１３号公報
【考案の概要】
【考案が解決しようとする課題】
【０００５】
本考案は以上のような従来の欠点に鑑み、蓋をＵ字形に切り離し頚部に余裕をもたせ、また人体に対する閉塞感を連結した折り畳み部もうける事により、両手の動作を自由とし、１個人による全身入浴、半身入浴、全蓋を取る事により複数での入浴を可能にする簡易多目的浴槽蓋を提供することを目的としている。
【０００６】
本考案の前記ならびに、そのほかの目的と主な特長は、ＡＢに分けた蓋に接続部を設けて付け外しを可能にし、接続により湯沸し蓋に、Ｂを取って保温を兼ねた全身入浴、または半身入浴、複数での入浴へとストレスを感じることなく簡単に移行できるとともに、ＡＢの接続により一枚の浴槽蓋として浴室内に収納を可能にする。                      
【０００７】
従来の文献等による浴槽蓋の考案ではリラックスすべき入浴が煩雑になり一般家庭向きとはいえない。
【課題を解決するための手段】
【０００８】
上記目的を達成するために、浴槽蓋の一枚をＡとし、その端部左右中央をＵ字形に切り取りその蓋片をＢとし、その切り取られた穴を跨ぎ左右に連結した折り畳み部を設け開閉を自由とし、またＡとＢを一体化するため、ＡからＢの上下の脱落を防ぐ接続部（１）とＡからＢの引けを防ぐ留め部（２）を端部側面の左右または片側に設け、（１）（２）により接続し浴沸かし蓋とし、Ｂ部を取っては多目的浴槽蓋とし、またＡ部の左右が任意に折り畳める（３）により両手が自由に使える、簡易多目的浴槽蓋を構成している。
【考案の効果】
【０００９】
以上の説明から明らかなように、本考案にあっては次に列挙する効果が得られる。
（１）請求項１の構成要件とで構成されているのでＡとＢの接続により一体化し本来の湯沸かし蓋になる
【００１０】
（２）前記（１）によりＡからＢを取ることにより、湯を満たしての全身入浴で湯の温度の低下を防ぐ保温効果があり、また湯を減らしての半身入浴もできる。
【００１１】
（３）前記（１）により全身入浴、半身入浴にもＡの蓋の左右開閉が自由になり、長湯による風呂での飲食、読書、メディア等、また発汗による汗の拭き取りができるなどリラックス入浴ができる。
【００１２】
（４）前記（１）によりＡとＢを接続し一体化する事によりで左右の蓋のバラツキを解消し他の蓋と同等になり、全蓋をとって家族での入浴、また浴槽の縁にコンパクトにおける。
【考案を実施するための最良の形態】
【００１３】
以下、本考案の実施にあたり添付図面を参照に、本考案を詳細に説明する。
【００１４】
図１〜図６の本考案を実施するため最良の形態を示す選択図１は、浴槽に蓋をしてＡとＢの切り離しと接続を示し、連結した折れ部によりＡの開閉と、接続部と留め部を示す本考案の浴槽蓋の斜視図。図２は図１に示したＵ字形に切り離し部と折れ部を示す平面図。図３は前記図２と異なる複数の連結折り畳める部を設けた形態を示す平面図。図４はＡからＢの上下の脱落を防ぐ接続部の断面図を示す。図５はＡからＢの引けを防ぐ側面留め部に於いてＢからＡにスライドする前の正面斜視図を示す。図６は前記図５留め部の断面図を示す。
【００１５】
上記構成の簡易多目的浴槽蓋は一枚の蓋をＵ字形にＡとＢに切り離し、接続部により取り付けて湯沸かし蓋に、Ｂを取りはずして頭部を出しての全身入浴と半身入浴を可能にし、また連結した折り畳める部を設けたことにより、左右両手の動作を自由にした。
【００１６】
一枚の浴槽蓋から展開した本考案の請求項１は蓋をＡとＢにＵ字形に切り離したことによる左右の不安定な動きは蓋ＡとＢの接続により切り離す前の蓋と同等になり、湯沸かし、全蓋を取っての入浴、浴槽清掃にと通常の浴槽蓋として簡単に扱える。
【００１７】
請求項１の接続部（１）と留め部（２）に於いては、前記条件を満たした、各種形状が考えられるが、最良の形態として図４と図５と図６で明らかにした。
【考案を実施するための異なる形態】
【００１８】
次に図３に示す本考案を実施するための異なる形態につき説明をする。本考案を実施するための異なる形態の説明に当たって第１の形態と同一構成部分には同一符号を付して重複する説明は省略する。  
【００１９】
図１と図２に示す本考案を実施するため第２の形態に於いて、前記本考案を実施するための第１の形態と異なる点は、すでに一枚構成の複数の折り畳める浴槽蓋図３である。
【００２０】
一枚構成の折り畳める浴槽蓋に於いては、端部左右中央を複数の折り畳み部を含みＵ字形に切り離しＡとＢを設け、最良の第一の形態と同じ（１）と（２）により簡易多目的浴槽蓋として、本考案を実施するための第１の形態と同様な作用効果が得られる。
【産業上の利用可能性】
【００２１】
本考案の簡易多目的浴槽蓋は市販されている浴槽蓋と変わらず操作が簡単であり家族および老若男女を問わず受け入れ易く、製造上に於いても蓋のサイズ、浴槽の形状、および構成にこだわらず安価に商品化でき省資源、省エネ、省コスト等、エコを必要としている現在、この多目的浴槽蓋は一般家庭に強くアピールし、そして安価に提供できる。
【図面の簡単な説明】
【００２２】
【図１】本考案を実施するための最良の形態を示す斜視図
【図２】本考案の一枚の浴槽蓋によるＡＢと連結折れ部の平面図
【図３】本考案の第２の形態、折り畳み浴槽蓋ＡＢの平面図
【図４】本考案の蓋ＡＢの接続部の断面図
【図５】本考案の側面留め部の正面斜視図
【図６】本考案の側面の留め部の断面図
【符号の説明】
【００２３】
１  Ｕ字形の切り離し部
２  蓋Ａ
３  蓋Ｂ
４  折り畳み部
５（４）により左右が任意に畳める
６  蓋Ａの接続部
７  蓋Ｂの接続部
８  蓋Ａと蓋Ｂの接続断面図
９  側面留め部
１０  留め部の左右移動部
１１  留め部の断面図
１２  浴槽
【図１】
0003156934.tif 000003
【図２】
0003156934.tif 000004
【図３】
0003156934.tif 000005
【図４】
0003156934.tif 000006
【図５】
0003156934.tif 000007
【図６】
0003156934.tif 000008
【手続補正書】
【提出日】平成21年10月14日(2009.10.14)
【手続補正１】
【補正対象書類名】実用新案登録請求の範囲
【補正対象項目名】請求項１
【補正方法】変更
【補正の内容】
【請求項１】
浴槽蓋の一枚をＡとし、端部左右中央をＵ字形に切り取りその蓋片をＢとし、その切り取られた穴を跨ぎ左右に連結した折り畳み部を設け開閉を自由とし、その蓋Ａと蓋Ｂを一体化するため蓋Ａから蓋Ｂの上下への脱落を防ぐ接続部と蓋Ａから蓋Ｂの引けを防ぐ留め部を端部側面の左右または片側に設け、蓋Ａと蓋Ｂの接続により通常の湯沸かし蓋とし、蓋Ｂを取って個人入浴蓋とし、また蓋Ａ部の左右が任意に折り畳めることにより入浴中に両手が自由に使える、簡易多目的浴槽蓋にした事を特長とする浴槽蓋。
【手続補正２】
【補正対象書類名】明細書
【補正対象項目名】全文
【補正方法】変更
【補正の内容】
【考案の詳細な説明】
【技術分野】
【０００１】
本考案は、一枚の浴槽蓋により多目的入浴が行える簡易多目的浴槽蓋に関するものである。
【背景技術】
【０００２】
従来のサウナ浴槽蓋はそれのみを目的として、首だけを出す形状や、首周りに異種な材料を使い複雑な仕掛け、そして蓋のみならず浴槽の見直しを前提として構成されている。
【０００３】
サウナ入浴に重点をおくあまり、サウナ入浴時の閉塞感、首周りの違和感、煩雑な手間、浴槽の見直し等、一般家庭向きといえない欠点があった。以下の一部文献などによる。
【先行技術文献】
【特許文献】
【０００４】
【特許文献１】実用新案登録第３１０９２８９号公報
【特許文献２】実用新案登録第３１３８２１３号公報
【考案の概要】
【考案が解決しようとする課題】
【０００５】
本考案は以上のような従来の欠点に鑑み、蓋をＵ字形に切り離し頚部に余裕をもたせ、また人体に対する閉塞感を連結した折り畳み部もうける事により、両手の動作を自由とし、１個人による全身入浴、半身入浴、全蓋を取る事により複数での入浴を可能にする簡易多目的浴槽蓋を提供することを目的としている。
【０００６】
本考案の前記ならびに、そのほかの目的と主な特長は、蓋Ａと蓋Ｂに分けた蓋に接続部を設けて付け外しを可能にし、接続により湯沸し蓋に、蓋Ｂを取って保温を兼ねた全身入浴、または半身入浴、複数での入浴へとストレスを感じることなく簡単に移行できるとともに、蓋Ａと蓋Ｂの接続により他の蓋と同等な浴槽蓋として浴室内に収納を可能にする。
【０００７】
従来の文献等による浴槽蓋の考案ではリラックスすべき入浴が煩雑になり一般家庭向きとはいえない。
【課題を解決するための手段】
【０００８】
上記目的を達成するために、浴槽蓋の一枚をＡとし、その端部左右中央をＵ字形に切り取りその蓋片をＢとし、その切り取られた穴を跨ぎ左右に連結した折り畳み部を設け開閉を自由とし、その蓋Ａと蓋Ｂを一体化するため蓋Ａから蓋Ｂの上下への脱落を防ぐ接続部と蓋Ａから蓋Ｂの引けを防ぐ留め部を端部側面の左右または片側に設け、蓋Ａと蓋Ｂの接続により通常の浴沸かし蓋とし、蓋Ｂを取って個人入浴蓋とし、また蓋Ａ部の左右が任意に折り畳めることにより両手が自由に使える、簡易多目的浴槽蓋を構成している。
【考案の効果】
【０００９】
以上の説明から明らかなように、本考案にあっては次に列挙する効果が得られる。
（１）[請求項１]の構成要件とで構成されているので、蓋Ａと蓋Ｂの接続により一体化し浴槽全体を覆う本来の湯沸かし蓋になる。
【００１０】
（２）前記（１）による蓋Ａから蓋Ｂを取ることにより、湯を満たしての全身入浴で湯の温度の低下を防ぐ保温効果があり、また湯を減らしての半身入浴でも同様な効果がある。
【００１１】
（３）前記（１）により全身入浴、半身入浴でも蓋Ａの左右の開閉により、入浴中に手の動作を自由にでき、長湯による風呂での飲食、読書、メディア等、また発汗による汗の拭き取りができるなどリラックス入浴ができる。
【００１２】
（４）前記（１）により蓋Ａと蓋Ｂを接続し一体化する事によりで左右の蓋のバラツキを解消し他の蓋と同等になり、それによる全蓋をとって家族での入浴、また浴槽の縁に他の蓋と揃えてコンパクトにおける。
【考案を実施するための最良の形態】
【００１３】
以下、本考案の実施にあたり添付図面を参照に、本考案を詳細に説明する。
【実施例１】
【００１４】
図１〜図６の本考案を実施するため最良の形態を示す選択図１は、浴槽にふたをした蓋Ａから蓋Ｂの取り外しと取り付け前を示し、連結した折れ部により左右の開閉と、接続部と留め部を示す本考案の浴槽蓋の斜視図。図２は図１に示したＵ字形に切り離す箇所とＵ字形を跨ぎ折れ畳み部を設けた蓋の平面図。図３は異なる形態[００１９]の複数の折り畳める箇所を含みＵ字形に切り離す蓋の平面図。図４は蓋Ａから蓋Ｂの上下の脱落を防ぐ接続部の断面図を示す。図５は蓋Ａから蓋Ｂの引けを防ぐ側面留め部に於いて蓋Ｂから蓋Ａにスライドする前の正面斜視図を示す。図６は前記図５留め部の断面図を示す。
【００１５】
上記構成の簡易多目的浴槽蓋は一枚の浴槽蓋をＵ字形に蓋Ａと蓋Ｂに切り離した蓋を、接続部により取り付けて湯沸かし蓋に、蓋Ｂを取りはずして頭部を出しての全身入浴と半身入浴を可能にし、また連結した折り畳める部を設けたことにより、左右両手の動作を自由にした。
【００１６】
一枚の浴槽蓋から展開した本考案[請求項１]は蓋Ａと蓋ＢにＵ字形に切り離したことによる左右の不安定な動きは蓋Ａと蓋Ｂの接続により切り離す前の蓋と同等になり、湯沸かし、全蓋を取っての入浴、浴槽清掃にと通常の浴槽蓋として簡単に扱える。
【００１７】
接続部と留め部[請求項１]に於いては、前記条件を満たした、各種形状が考えられるが、最良の形態構成として図４と図５と図６で明らかにした。
【実施例２】
【００１８】
次に図３に示す本考案を実施するための異なる形態につき説明をする。本考案を実施するための異なる形態の説明に当たって第１の形態と同一構成部分には同一符号を付して重複する説明は省略する。  
【００１９】
図１と図２に示す本考案を実施するため第２の形態に於いて、前記本考案を実施するための第１の形態と異なる点は、すでに一枚構成の複数に折り畳める浴槽蓋図３である。
【００２０】
一枚構成の折り畳める浴槽蓋に於いては、端部左右中央を複数の折り畳み部を含みＵ字形に切り離し蓋Ａと蓋Ｂを設ける事により、最良の第一の形態[０００７]と同じ簡易多目的浴槽蓋として、本考案を実施するための第１の形態と同様な作用効果が得られる。
【産業上の利用可能性】
【００２１】
本考案の簡易多目的浴槽蓋は市販されている浴槽蓋と変わらず操作が簡単であり家族および老若男女を問わず受け入れ易く、製造上に於いても蓋のサイズ、浴槽の形態、にこだわらず安価に商品化でき省資源、省エネ、省コストなどエコを必要としている現在、この簡易多目的浴槽蓋は一般家庭に強くアピールし、そして安価に提供できる。
【図面の簡単な説明】
【００２２】
【図１】本考案を実施するための最良の形態を示す斜視図
【図２】本考案の浴槽蓋一枚による蓋の２と３と連結折れ部４の平面図
【図３】本考案の第２の形態、一枚構成の折り畳み浴槽蓋による上記２と３と４の平面図
【図４】本考案の蓋２と３の接続部の断面図
【図５】本考案の蓋３から１０により２へスライドする前の側面留め部の正面斜視図
【図６】本考案の側面の留め部１１の断面図
【符号の説明】
【００２３】
１  Ｕ字形の切り離し部
２  蓋Ａ
３  蓋Ｂ
４  折り畳み部
５  上記４により左右の蓋が任意に開閉できる。
６  蓋Ａの接続部
７  蓋Ｂの接続部
８  蓋Ａと蓋Ｂの接続断面図
９  側面左右の留め部
１０  ３から２へ１０によりスライドして留める前の留め部
１１  留め部の断面図
１２  蓋Ａに対し蓋Ｂの取り付け取り外しを示す
１３  浴槽
【手続補正３】
【補正対象書類名】図面
【補正対象項目名】図１
【補正方法】変更
【補正の内容】
【図１】
0003156934.tif 000009
【手続補正書】
【提出日】平成21年11月18日(2009.11.18)
【手続補正１】
【補正対象書類名】手続補正書
【補正対象項目名】手続補正４
【補正方法】削除
【補正の内容】
【手続補正書】
【提出日】平成21年11月18日(2009.11.18)
【手続補正１】
【補正対象書類名】実用新案登録請求の範囲
【補正対象項目名】全文
【補正方法】変更
【補正の内容】
【実用新案登録請求の範囲】
【請求項１】
浴槽蓋の一枚をＡとし、端部左右中央をＵ字形に切り取りその蓋片をＢとし、その切り取られた穴を跨ぎ左右に連結した折り畳み部を設け開閉を自由とし、その蓋Ａと蓋Ｂを一体化するため蓋Ａから蓋Ｂの上下への脱落を防ぐ接続部と蓋Ａから蓋Ｂの引けを防ぐ留め部を端部側面の左右または片側に設け、蓋Ａと蓋Ｂの接続により湯沸かし蓋とし、蓋Ｂを取って個人入浴蓋とし、また蓋Ａ部の左右が任意に折り畳めることにより入浴中に両手が自由に使える、簡易多目的浴槽蓋にした事を特長とする浴槽蓋。
【手続補正２】
【補正対象書類名】明細書
【補正対象項目名】０００８
【補正方法】変更
【補正の内容】
【０００８】
上記目的を達成するために、浴槽蓋の一枚をＡとし、その端部左右中央をＵ字形に切り取りその蓋片をＢとし、その切り取られた穴を跨ぎ左右に連結した折り畳み部を設け開閉を自由とし、その蓋Ａと蓋Ｂを一体化するため蓋Ａから蓋Ｂの上下への脱落を防ぐ接続部と蓋Ａから蓋Ｂの引けを防ぐ留め部を端部側面の左右または片側に設け、蓋Ａと蓋Ｂの接続により浴沸かし蓋とし、蓋Ｂを取って個人入浴蓋とし、また蓋Ａ部の左右が任意に折り畳めることにより両手が自由に使える、簡易多目的浴槽蓋を構成している。
【手続補正３】
【補正対象書類名】明細書
【補正対象項目名】００１６
【補正方法】変更
【補正の内容】
【００１６】
一枚の浴槽蓋から展開した本考案[請求項１]は蓋Ａと蓋ＢにＵ字形に切り離したことによる左右の不安定な動きは蓋Ａと蓋Ｂの接続により切り離す前の蓋と同等になり、湯沸かし、全蓋を取っての入浴、浴槽清掃の際、簡単に扱える。